(57)【要約】【課題】本開示は、仕上剤収容部に水や仕上剤が残ることを抑止する洗濯機を提供する。【解決手段】給水弁７からの水を、給水路３１を介して洗剤収容容器２１に給水する注水蓋体３０に設けた第２の給水路３１ｂに液体仕上剤収容部２４外に通じる残水抜き用の水抜き孔３５を形成し、水抜き孔３５は、注水口３３よりも低い位置で、かつ、水抜き孔３５と傾斜部３６で連通する第２の給水路の３１ｂの最下部３７よりも高い位置に配設する構成とすることにより、液体仕上剤収容部２４に水や液体仕上剤が残ってしまうことを抑止し、給水量が少ない環境においても、液体仕上剤投入を適切に行うことができる。【選択図】図１
2020068925.tif 000002
【特許請求の範囲】
【請求項１】
筐体と、
前記筐体内に揺動自在に弾性支持される水槽と、
前記水槽内に回転自在に内包される内槽と、
前記水槽に水を供給する給水弁と、
洗剤を収容する洗剤収容部と、
液体仕上剤を収容する仕上剤収容部と、
前記給水弁から供給される水を、第１の給水路を介して前記洗剤収容部に注水し、第２の給水路を介して前記仕上剤収容部に注水を行う注水蓋体と、
前記仕上剤収容部内の仕上剤を含む液体がサイフォンの原理で前記水槽内に排出される仕上剤投入路とを備え、
前記注水蓋体には、開口である注水口と、前記第２の給水路に前記仕上剤収容部外に通じる孔と、を形成し、前記孔は、前記注水口よりも低い位置で、前記孔と傾斜部で連通する前記第２の給水路の最下部よりも高い位置に配設した洗濯機。
【発明の詳細な説明】
【技術分野】
【０００１】
本開示は、洗濯物を洗い、すすぎ、脱水する洗濯機に関する。
【背景技術】
【０００２】
従来、この種の洗濯機は、洗剤を投入する洗剤収容容器を備え、運転開始に先立ち、この洗剤収容容器内に洗剤や，仕上剤等を予め投入している（例えば、特許文献１参照）。
【０００３】
図６は、引用文献１に記載された従来の洗濯機の縦断面図、図７は、同洗濯機の洗剤収容容器の斜視図、図８は、同洗濯機の洗剤収容容器への給水構造を示す平面断面図、図９は、同洗濯機の洗剤収容容器および給水構造を示す側面断面図である。
【０００４】
図６、図７、図８、図９において、洗濯機１０１は、洗濯機筐体１０２の上部に、洗剤を収容する洗剤収容容器１２１と、給水弁１０７に接続されて、洗剤収容容器１２１に給水する給水路１３１と、洗剤収容容器１２１を引き出し自在に収納する洗剤投入部枠体１４０とを備えた洗剤投入部１２０が配設されている。
【０００５】
洗剤投入部枠体１４０は、その上面に注水蓋体１３０が固定され、注水蓋体１３０の下部に形成された空間に洗剤収容容器１２１を引き出し自在に収容しており、また、洗剤投入部枠体１４０の底部には、水槽給水経路１２６を水槽１０３に接続配管している。
【０００６】
洗剤収容容器１２１は、粉末合成洗剤を収容する粉末洗剤収容部１２２と、液体洗剤や液体漂白剤を収容する液体洗剤収容部１２３と、液体仕上剤を収容する液体仕上剤収容部１２４を備えて構成され、液体洗剤収容部１２３と液体仕上剤収容部１２４に対向する位置に、それぞれ液体洗剤受入口１２５ａと液体仕上剤受入口１２５ｂとが開口された収容部蓋板１２５が、液体洗剤収容部１２３と液体仕上剤収容部１２４の上方を覆っている。
【０００７】
そして、液体洗剤収容部１２３と液体仕上剤収容部１２４の底部には、それぞれ円筒状の液体洗剤投入口１２３ｂと液体仕上剤投入口１２４ｂが開口して上方にむけて立設されている。また、収容部蓋板１２５には、それぞれ液体洗剤投入口１２３ｂと液体仕上剤投入口１２４ｂ外方より覆い、下端が液体洗剤収容部１２３と液体仕上剤収容部１２４の底面に達する円筒形状の管状突出部１２５ｃが下方に向けて立設されており、その管状突出部１２５ｃの下端部には、その側面が側面視コ字状に切り欠かれた流水口１２５ｄが形成されている。
【０００８】
また、注水蓋体１３０の下面には、給水路１３１を経て、液体洗剤収容部１２３に注水する注水口１３４と、液体仕上剤収容部１２４に注水する注水口１３５が形成されている。
【０００９】
このように構成された洗剤投入部１２０では、洗い行程において、注水口１３４から液体洗剤受入口１２５ａを介して液体洗剤収容部１２３に注水される。そして、液体洗剤収容部１２３で液体洗剤を希釈拡散した洗剤液は、管状突出部１２５ｃと液体洗剤投入口１２３ｂとの間に形成された隙間を介して、サイフォンの原理により液体洗剤投入口１２３ｂ内部に導入され、その下流側に形成された洗剤液供給路１４１を経由して、水槽１０３内に供給される。
【００１０】
また、すすぎ行程においては、注水口１３５から液体仕上剤受入口１２５ｂを介して液体仕上剤収容部１２４に注水され、液体仕上剤収容部１２４で液体仕上剤を希釈拡散した
仕上液は、管状突出部１２５ｃと液体仕上剤投入口１２４ｂとの間に形成された隙間を介して、液体仕上剤投入口１２４ｂ内部に導入され、その下流側に形成された洗剤液供給路１４１を経由して、水槽１０３内に供給される。
【先行技術文献】
【特許文献】
【００１１】
【特許文献１】特開２００８−９９９１９号公報
【発明の概要】
【発明が解決しようとする課題】
【００１２】
本開示は、仕上剤収容部に水や仕上剤が残ることを抑止できる洗濯機を提供する。
【課題を解決するための手段】
【００１３】
本開示における洗濯機は、筐体と、前記筐体内に揺動自在に弾性支持される水槽と、前記水槽内に回転自在に内包される内槽と、前記水槽に水を供給する給水弁と、洗剤を収容する洗剤収容部と、液体仕上剤を収容する仕上剤収容部と、前記給水弁から供給される水を、第１の給水路を介して前記液体洗剤収容部に注水し、第２の給水路を介して前記仕上剤収容部に注水を行う注水蓋体と、前記仕上剤収容部内の仕上剤を含む液体がサイフォンの原理で前記水槽内に排出される仕上剤投入路とを備える。前記注水蓋体には、開口である注水口と、前記第２の給水路に前記仕上剤収容部外に通じる孔と、を形成し、前記孔は、前記注水口よりも低い位置で、前記孔と傾斜部で連通する前記第２の給水路の最下部よりも高い位置に配設する。
【発明の効果】
【００１４】
本開示における洗濯機は、仕上剤収容部に水や仕上剤が残ることを抑止する。
【図面の簡単な説明】
【００１５】
【図１】本発明の実施の形態における洗濯機の縦断面図
【図２】同洗濯機の洗剤投入部枠体部分の側面断面図
【図３】同洗濯機の洗剤投入部枠体部分の分解斜視図
【図４】同洗濯機の注水蓋体の要部拡大図
【図５】同洗濯機の注水口と水抜き孔の高さ関係を説明するための概略断面図
【図６】従来の洗濯機の縦断面図
【図７】同洗濯機の洗剤収容容器の斜視図
【図８】同洗濯機の洗剤収容容器への給水構造を示す平面断面図
【図９】同洗濯機の洗剤収容容器および給水構造を示す側面断面図
【発明を実施するための形態】
【００１６】
以下、発明の実施の形態について、図面を参照しながら説明する。なお、この実施の形態によって本発明が限定されるものではない。
【００１７】
（実施の形態１）
図１は、本発明の実施の形態における洗濯機の縦断面図である。
【００１８】
図１において、洗濯機１は、筐体２内に図示しないサスペンション構造によって水槽３が揺動自在に弾性支持され、水槽３には有底円筒形に形成された回転ドラム４が回転自在に内包されている。
【００１９】
回転ドラム４は、水槽３の背面側に取り付けられたモータ６によって前上がりに傾斜した回転軸を中心に正転及び逆転方向に回転駆動される。なお、回転ドラム４の回転軸は、
本実施の形態では前上がりに傾斜させているが、略水平方向であってもよい。
【００２０】
筐体２の上部には、洗剤を収容する洗剤収容容器２１と、給水弁７に接続されて、洗剤収容容器２１に給水する給水路３１が設けられた注水蓋体３０とで構成された洗剤投入部２０が配設されている。
【００２１】
注水蓋体３０の下方に、上方に開口を有する有底の断面略コ字状箱体の洗剤投入部枠体４０を配設して、この注水蓋体３０の下部に形成された空間部４０ｄに洗剤収容容器２１を前方から引き出し自在に収容している。また、洗剤投入部枠体４０の底部には、洗剤液供給路４１を介して、給水経路２６を水槽３に接続配管している。
【００２２】
図２は、本発明の実施の形態における洗濯機の洗剤投入部枠体部分の側面断面図、図３は、同洗濯機の洗剤投入部枠体部分の分解斜視図、図４は、同洗濯機の注水蓋体の要部拡大図、図５は、同洗濯機の注水口と水抜き孔の高さ関係を説明するための概略断面図である。なお、図３は、洗剤投入部枠体４０から、洗剤収容容器２１を所定位置以上に引き出し、かつ、注水蓋体３０を上方に取り外した分解状態を示している。
【００２３】
図２、図３において、洗剤投入部枠体４０と注水蓋体３０とで囲まれた空間部４０ｄには引き出し自在に洗剤収容容器２１が収納され、注水蓋体３０には、洗剤収容容器２１に給水する水の通水路となる通水空間部３８と、その底面に多数の小孔を形成した注水口３３とを構成している。
【００２４】
また、洗剤投入部枠体４０は、その底部に洗剤液供給路４１を一体形成し、洗剤収容容器２１に収容された洗剤（粉末合成洗剤、液体洗剤など）、または仕上剤（液体仕上剤など）に向かって、注水蓋体３０の通水空間部３８から注水口３３を介して供給された水が滴下し、水と混合された洗剤液、または仕上液は、洗剤液供給路４１から給水経路２６を経由して、水槽３内に供給される。
【００２５】
注水蓋体３０は、ポリプロピレン樹脂等で構成した２枚の樹脂成形板が熱溶着されることにより、通水空間部３８を構成し、この通水空間部３８に粉末洗剤収容部２２と液体洗剤収容部２３に水を供給する第１の給水路３１ａと、液体仕上剤収容部２４に水を供給する第２の給水路３１ｂが形成されている。
【００２６】
また、洗剤収容容器２１は、洗剤投入部枠体４０に、引き出し自在に収容され、粉末合成洗剤を収容する粉末洗剤収容部２２と、液体洗剤や液体漂白剤を収容する液体洗剤収容部２３と、液体仕上剤を収容する液体仕上剤収容部２４が併設され、洗い時には注水蓋体３０の第１の給水路３１ａから粉末洗剤収容部２２および液体洗剤収容部２３に給水され、すすぎ時には、第２の給水路３１ｂから液体仕上剤収容部２４に給水される。
【００２７】
粉末洗剤収容部２２の下流側には粉末洗剤投入路２２ａが形成され、液体洗剤収容部２３の外底部下流側には液体洗剤投入路２３ａが形成され、液体仕上剤収容部２４の外底部下流側には液体仕上剤投入路２４ａが形成され、いずれも給水弁７から給水された水に希釈されて、洗剤液または仕上剤が空間部４０ｄより洗剤液供給路４１に流れる様に構成されている。
【００２８】
また、液体仕上剤収容部２４に対向する位置に、液体仕上剤を投入する液体仕上剤受入口２５ｂが開口された収容部蓋板２５が、液体仕上剤収容部２４の上方を覆っている。
そして、液体仕上剤収容部２４の底部には、円筒状の液体仕上剤投入口２４ｂが開口して上方にむけて立設されている。また、収容部蓋板２５には、液体仕上剤投入口２４ｂを外方より覆い、下端が液体仕上剤収容部２４の底面に達する円筒形状の管状突出部２５ｃが
下方に向けて立設されており、その管状突出部２５ｃの下端部には、その側面が側面視コ字状に切り欠かれた流水口（図示せず）が形成されている。
【００２９】
図４、図５において、注水蓋体３０の第２の給水路３１ｂには、液体仕上剤収容部２４の範囲を外れた液体洗剤収容部２３の上方に位置して残水抜き用の水抜き孔３５が設けられており、第２の給水路３１ｂに残った水は液体洗剤収容部２３に滴下されるようになっている。
【００３０】
そして、この水抜き孔３５は、注水口３３よりも低い位置で、かつ、第２の給水路３１ｂの最下部３７よりも高い位置に設けられている。そして、注水口３３から最下部３７に向かって降下する傾斜部３６が設けられている。また、わずかに残った残水は最下部３７部に溜められ、洗剤収容容器２１へ滴下することは無い。
【００３１】
以上のように構成された洗剤投入部２０では、すすぎ行程の所定のタイミングにおいて、給水された水は注水口３３から液体仕上剤受入口２５ｂを介して液体仕上剤収容部２４に注水され、液体仕上剤収容部２４において事前に投入されていた液体仕上剤を希釈拡散する。そして、希釈された仕上液は、管状突出部２５ｃ下端部の流水口を通り、管状突出部２５ｃと液体仕上剤投入口２４ｂとの間に形成された隙間を介して、サイフォンの原理により液体仕上剤投入口２４ｂ内部に導入され、その下流側に形成された洗剤液供給路４１を経由して、水槽３内に供給される。
【００３２】
この時、図４、図５のように、残水抜き用の水抜き孔３５は、第２の給水路３１ｂの最下部３７よりも高い位置に設けられているので、第２の給水路３１ｂにわずかに残った水が洗剤収容容器２１へ滴下されることは無い。
【００３３】
また、給水量の少ない環境においても、給水された水が水抜き孔３５から液体仕上剤収容部２４外へ流れることはなく、全て注水口３３から液体仕上剤収容部２４内へ滴下され、これにより、サイフォンの原理に必要な最小限の水量を確保することができ、給水量不足による液体仕上剤収容部２４に液体仕上剤が残ってしまう現象を防止することができる。
【００３４】
以上のように、本実施の形態におけるドラム式洗濯機１は、筐体と、前記筐体内に揺動自在に弾性支持される水槽と、前記水槽内に回転自在に内包される内槽と、前記水槽に水を供給する給水弁と、洗剤を収容する洗剤収容部と、液体仕上剤を収容する仕上剤収容部と、前記給水弁から供給される水を、第１の給水路を介して前記液体洗剤収容部に注水し、第２の給水路を介して前記仕上剤収容部に注水を行う注水蓋体と、前記仕上剤収容部内の仕上剤を含む液体がサイフォンの原理で前記水槽内に排出される仕上剤投入路とを備える。前記注水蓋体は、前記第２の給水路に前記仕上剤収容部外に通じる孔を形成し、前記孔は、前記注水口よりも低い位置で、かつ、前記孔と傾斜部で連通する前記第２の給水路の最下部よりも高い位置に配設される。
【００３５】
これにより、液体仕上剤収容部２４に水や液体仕上剤が残ることを抑止できる。そのため、給水量が少ない環境においても、液体仕上剤投入を適切に行うことができる。
【００３６】
（他の実施の形態）
以上のように、本出願において開示する技術の例示として、実施の形態１を説明した。しかしながら、本開示における技術は、これに限定されない。
【００３７】
そこで、以下、他の実施の形態を例示する。
【００３８】
実施の形態１では、洗濯機の一例としてドラム式洗濯機を説明した。洗濯機は、布を水洗できるものであればよい。したがって、洗濯機は、縦型洗濯機に限定されず、縦型洗濯機や二槽式洗濯機であってもよい。
【産業上の利用可能性】
【００３９】
本開示は、サイフォン方式の液体仕上剤収容部を持つ洗剤収容容器を備えた洗濯機に適用可能である。具体的には、縦型洗濯機、ドラム式洗濯機、二槽式洗濯機などに、本開示は適用可能である。
【符号の説明】
【００４０】
２  筐体
３  水槽
４  回転ドラム（内槽）
７  給水弁
２１  洗剤収容容器
２２  粉末洗剤収容部
２３  液体洗剤収容部（洗剤収容部）
２４  液体仕上剤収容部（仕上剤収容部）
２４ａ  液体仕上剤投入路
２６  給水経路
３０  注水蓋体
３１ａ  第１の給水路
３１ｂ  第２の給水路
３３  注水口
３５  水抜き孔
３６  傾斜部
３７  最下部
４０  洗剤投入部枠体
【図１】
2020068925.tif 000003
【図２】
2020068925.tif 000004
【図３】
2020068925.tif 000005
【図４】
2020068925.tif 000006
【図５】
2020068925.tif 000007
【図６】
2020068925.tif 000008
【図７】
2020068925.tif 000009
【図８】
2020068925.tif 000010
【図９】
2020068925.tif 000011